(57)【要約】【課題】防塵フィルターに蓄積した塵埃を容易に除去することが可能なプロジェクターを提供する。【解決手段】プロジェクター１は、吸気ファン７ｉ及び排気ファン７ｘを動作（回転）させている間、無端状の防塵フィルター４を所定の方向にゆっくりと一定の速度で循環（移動）させる。例えば、本実施形態では、右側から見て左回り（反時計回り）に、数ｍｍ／分程度の速さで防塵フィルター４を移動させる。このため、防塵フィルター４のうち、ある時点でダクト５の底面５ｂの吸気口５ｉを覆っていた部位は、時間の経過に伴って、前面側を経由してダクト５の上面５ｔに至り、排気口５ｘを覆う。その後、背面側を経由してダクト５の底面５ｂに至った後、吸気口５ｉを覆う位置まで戻り、以降もこの動作を繰り返す。つまり、防塵フィルター４は、吸気ファン７ｉ及び排気ファン７ｘが動作している間、吸気口５ｉ及び排気口５ｘの双方を覆いながら循環する。【選択図】図４
2011197383.tif 000002
【特許請求の範囲】
【請求項１】
画像を投写するプロジェクターであって、
前記画像を形成する画像形成部と、
前記画像形成部を収容し、吸気口及び排気口が形成された筐体と、
前記筐体の内部を冷却するための空気を前記吸気口から吸入し、冷却後の空気を前記排気口から排出する冷却ファンと、
前記吸気口及び前記排気口の双方を覆いながら循環可能に配設された無端状の防塵フィルターと、
を備えたことを特徴とするプロジェクター。
【請求項２】
請求項１に記載のプロジェクターであって、
前記防塵フィルターを循環させる循環駆動部をさらに備えたことを特徴とするプロジェクター。
【請求項３】
請求項２に記載のプロジェクターであって、
前記循環駆動部は、前記防塵フィルターを一定の速度で循環させることを特徴とするプロジェクター。
【請求項４】
請求項２に記載のプロジェクターであって、
前記循環駆動部は、前記防塵フィルターを断続的に循環させることを特徴とするプロジェクター。
【請求項５】
請求項１〜４のいずれか一項に記載のプロジェクターであって、
前記循環駆動部は、前記冷却ファンの回転と連動して前記防塵フィルターを循環させることを特徴とするプロジェクター。
【請求項６】
請求項１〜５のいずれか一項に記載のプロジェクターであって、
前記防塵フィルターへの塵埃の蓄積を検出する検出部と、
前記検出部の検出結果に基づいて、前記循環駆動部による前記防塵フィルターの循環駆動を制御する循環制御部と、
をさらに備えたことを特徴とするプロジェクター。
【請求項７】
請求項６に記載のプロジェクターであって、
前記循環制御部は、前記防塵フィルターに塵埃が蓄積した場合に、前記防塵フィルターの循環を開始させることを特徴とするプロジェクター。
【請求項８】
請求項６に記載のプロジェクターであって、
前記循環制御部は、前記防塵フィルターに塵埃が蓄積した場合に、前記防塵フィルターの循環速度を速くさせることを特徴とするプロジェクター。
【発明の詳細な説明】
【技術分野】
【０００１】
本発明は、外部の空気を取り込んで冷却を行うプロジェクターに関する。
【背景技術】
【０００２】
光源から射出された光を変調して画像を形成し、この画像をスクリーン等に投写するプロジェクターの多くは、光源の点灯等に伴って高温となる筐体の内部を冷却するための冷却ファンを備えている。冷却ファンは、外部の空気を取り込んで筐体の内部を冷却し、冷却後の空気を外部に排出するようになっており、空気を取り込む吸気口には、筐体内への塵埃の侵入を防ぐための防塵フィルターが備えられている。従来、時間の経過に伴って防塵フィルターに塵埃が蓄積されると、空気の取り込みが困難となって冷却効率が低減してしまうことから、フィルター交換等のメンテナンス作業を定期的に行う必要があった。
【０００３】
特許文献１には、上記メンテナンスの頻度を低減するために、本来は外部の空気を取り込むための冷却ファン（吸気ファン）を逆回転させて、吸気口に向けて内部の空気を吐き出すことにより、防塵フィルターの外側に蓄積した塵埃を除去する技術が提案されている。
【先行技術文献】
【特許文献】
【０００４】
【特許文献１】特開２００６−２６７１５１号公報
【発明の概要】
【発明が解決しようとする課題】
【０００５】
しかしながら、特許文献１に記載の技術では、筐体内の冷却が不要な状態になったときに吸気ファンを逆回転させるようにしている。つまり、塵埃の除去は、プロジェクターを使用する前、或いはプロジェクターを使用した後に行われることになる。このため、プロジェクターに電源を投入してから通常動作が可能となるまで、或いは通常動作を終えてから電源の切断が可能となるまでに時間を要してしまうという問題を有している。また、吸気ファンを逆回転している間は、防塵フィルターで覆われていない排気口から空気が吸入されることになるため、空気とともに塵埃が進入してしまう恐れもある。
【課題を解決するための手段】
【０００６】
本発明は、上述の課題の少なくとも一部を解決するためになされたものであり、以下の形態又は適用例として実現することが可能である。
【０００７】
［適用例１］本適用例に係るプロジェクターは、画像を投写するプロジェクターであって、前記画像を形成する画像形成部と、前記画像形成部を収容し、吸気口及び排気口が形成された筐体と、前記筐体の内部を冷却するための空気を前記吸気口から吸入し、冷却後の空気を前記排気口から排出する冷却ファンと、前記吸気口及び前記排気口の双方を覆いながら循環可能に配設された無端状の防塵フィルターと、を備えたことを特徴とする。
【０００８】
このプロジェクターによれば、無端状の防塵フィルターが、吸気口と排気口の双方を覆いながら循環可能に配設されているため、吸気口の位置で防塵フィルターに塵埃が蓄積した場合でも、防塵フィルターを循環方向に送る（ずらす）ことにより、塵埃が蓄積していない部位を通して空気を吸入することができる。また、防塵フィルターを循環させて、塵埃が蓄積している部位を排気口の位置まで移動させれば、蓄積した塵埃は、排出される空気によって防塵フィルターから除去される。つまり、この構成によれば、防塵フィルターに蓄積した塵埃を、プロジェクターを使用しながら容易に除去することが可能となり、メンテナンスの頻度を低減することが可能となる。
【０００９】
［適用例２］上記適用例に係るプロジェクターにおいて、前記防塵フィルターを循環させる循環駆動部をさらに備えることが望ましい。
【００１０】
このプロジェクターによれば、防塵フィルターを循環させる循環駆動部を備えているため、ユーザーが自ら防塵フィルターを循環させる必要がない。また、吸気口の位置で防塵フィルターに蓄積した塵埃は、循環駆動部による防塵フィルターの循環によって、塵埃が蓄積している部位が排気口の位置まで移動した際に除去されるため、塵埃の除去が一層容易になる。
【００１１】
［適用例３］上記適用例に係るプロジェクターにおいて、前記循環駆動部は、前記防塵フィルターを一定の速度で循環させるようにしてもよい。
【００１２】
［適用例４］上記適用例に係るプロジェクターにおいて、前記循環駆動部は、前記防塵フィルターを断続的に循環させるようにしてもよい。
【００１３】
［適用例５］上記適用例に係るプロジェクターにおいて、前記循環駆動部は、前記冷却ファンの回転と連動して前記防塵フィルターを循環させるようにしてもよい。
【００１４】
［適用例６］上記適用例に係るプロジェクターにおいて、前記防塵フィルターへの塵埃の蓄積を検出する検出部と、前記検出部の検出結果に基づいて、前記循環駆動部による前記防塵フィルターの循環駆動を制御する循環制御部と、をさらに備えるようにしてもよい。
【００１５】
［適用例７］上記適用例に係るプロジェクターにおいて、前記循環制御部は、前記防塵フィルターに塵埃が蓄積した場合に、前記防塵フィルターの循環を開始させるようにしてもよい。
【００１６】
［適用例８］上記適用例に係るプロジェクターにおいて、前記循環制御部は、前記防塵フィルターに塵埃が蓄積した場合に、前記防塵フィルターの循環速度を速くさせるようにしてもよい。
【図面の簡単な説明】
【００１７】
【図１】本実施形態のプロジェクターを示す斜視図であり、（ａ）は、前面、上面、及び右側面を示す図、（ｂ）は、背面、底面、及び右側面を示す図。
【図２】カバー部材を外した状態のプロジェクターを示す斜視図であり、（ａ）は、前面、上面、及び右側面を示す図、（ｂ）は、背面、底面、及び右側面を示す図。
【図３】カバー部材及び防塵フィルターを外した状態のプロジェクターを示す斜視図であり、（ａ）は、前面、上面、及び右側面を示す図、（ｂ）は、背面、底面、及び右側面を示す図。
【図４】カバー部材を装着した状態のプロジェクターの側面図。
【図５】プロジェクターの概略構成を示すブロック図。
【図６】変形例に係るプロジェクターの概略構成を示すブロック図。
【発明を実施するための形態】
【００１８】
以下、本実施形態のプロジェクターについて、図面を参照して説明する。
図１は、本実施形態のプロジェクターを示す斜視図であり、（ａ）は、前面、上面、及び右側面を示す図、（ｂ）は、背面、底面、及び右側面を示す図である。なお、本実施形態では、プロジェクターが画像を投写する方向を前方とし、前方に向かって右側の側面を右側面と呼ぶ。
【００１９】
図１（ａ）、（ｂ）に示すように、プロジェクター１は、装置本体が筐体２に収容された構成を有している。筐体２の前面２ｆには、画像を投写する投写レンズ１３が露出しており、筐体２の上面２ｔには、ユーザーがプロジェクター１に対して各種指示を行うための入力操作部２２が備えられている。また、筐体２の背面２ｒには、外部の画像出力装置（図示せず）から画像情報が入力される画像情報入力部２３が設けられている。画像情報入力部２３には、複数の入力端子２３ａが配置されており、各入力端子２３ａには、一端が画像出力装置に接続されたケーブルの他端が接続される。
【００２０】
プロジェクター１の右側面には、カバー部材３が装着されており、プロジェクター１の一部は、このカバー部材３によって覆われている。カバー部材３は、筐体２とともにプロジェクター１の外装を構成するものであり、カバー部材３の前面３ｆ、背面３ｒ、底面３ｂ、及び上面３ｔは、それぞれ筐体２の前面２ｆ、背面２ｒ、底面２ｂ、及び上面２ｔに隣接する。また、カバー部材３の底面３ｂには、冷却用の空気を外部から取り込むための吸気用開口部３ｉが形成されており、カバー部材３の上面３ｔには、冷却後の空気を外部に排出するための排気用開口部３ｘが形成されている。なお、カバー部材３の内側には、筐体２内への塵埃の侵入を防ぐための防塵フィルター４（図２参照）が備えられている。本実施形態の防塵フィルター４は、無端状に形成されており、吸気用開口部３ｉ及び排気用開口部３ｘを経由するように配設されている（詳しくは後述する）。
【００２１】
図２は、カバー部材３を外した状態のプロジェクターを示す斜視図であり、図３は、カバー部材３及び防塵フィルター４を外した状態のプロジェクターを示す斜視図である。両図において、（ａ）は、前面、上面、及び右側面を示す図、（ｂ）は、背面、底面、及び右側面を示す図である。
【００２２】
図３に示すように、筐体２の右側面２ｓには、外側（右方向）に突出するように箱状のダクト５が形成されている。このダクト５は、筐体２と内部で連通しており、筐体２の一部とみなすことができる。ダクト５の底面５ｂには、外部の空気を筐体２の内部へ吸入するための吸気口５ｉが形成されており、ダクト５の上面５ｔには、筐体２の内部の空気を外部に排出するための排気口５ｘが形成されている。
【００２３】
また、筐体２の右側面２ｓには、全部で４つのローラー６ａ，６ｂ，６ｃ，６ｄが設けられており、各ローラー６ａ，６ｂ，６ｃ，６ｄの回転軸は、ダクト５の突出方向（右方向）と同一の方向に突出している。このうち、２つのローラー６ａ，６ｂは、ダクト５の前方で上下に配置され、残りの２つのローラー６ｃ，６ｄは、ダクト５の後方で上下に配置されている。４つのうちの１つのローラー６ａは、駆動ローラーであり、筐体２の内部で、駆動装置（モーター等）によって構成されるローラー駆動部２９（図５参照）に接続されている。残りの３つのローラー６ｂ，６ｃ，６ｄは、従動ローラーであり、筐体２に対して回転可能に取り付けられている。なお、これ以降、ローラー６ａのことを、「駆動ローラー６ａ」とも表記する。
【００２４】
図２に示すように、無端状の防塵フィルター４は、４つのローラー６ａ，６ｂ，６ｃ，６ｄに巻回されており、駆動ローラー６ａの駆動によって循環可能に配設されている。防塵フィルター４が巻回された状態では、ダクト５の上面５ｔ、底面５ｂ、前面５ｆ、及び背面５ｒは、防塵フィルター４によって囲まれ、このうち、上面５ｔと底面５ｂは、防塵フィルター４の内周面に当接する。つまり、ダクト５の上面５ｔに形成されている排気口５ｘと、ダクト５の底面５ｂに形成されている吸気口５ｉの双方は、防塵フィルター４によって覆われている。
【００２５】
図４は、カバー部材３を装着した状態のプロジェクター１の側面図であり、カバー部材３及びダクト５に関しては断面を示している。
図４に示すように、カバー部材３を装着した状態では、カバー部材３の吸気用開口部３ｉとダクト５の吸気口５ｉとは、防塵フィルター４を挟んで対峙し、カバー部材３の排気用開口部３ｘとダクト５の排気口５ｘも、防塵フィルター４を挟んで対峙する。
【００２６】
ダクト５の内部には、吸気口５ｉの近傍に吸気ファン７ｉが配置され、排気口５ｘの近傍に排気ファン７ｘが配置されている。吸気ファン７ｉは、筐体２の内部を冷却するための空気をプロジェクター１の外部から吸入するものであり、吸気ファン７ｉが回転すると、外部の空気は、吸気用開口部３ｉ、防塵フィルター４及び吸気口５ｉを経由してダクト５内に吸入され、筐体２の内部に送られる。このとき、吸入される空気中に含まれる塵埃は、防塵フィルター４によってダクト５内への進入が遮られ、防塵フィルター４の表面（外周面）に付着する。
【００２７】
また、排気ファン７ｘは、冷却後の空気をプロジェクター１の外部に排出するものであり、排気ファン７ｘが回転すると、筐体２内の空気はダクト５内に導かれ、排気口５ｘ、防塵フィルター４及び排気用開口部３ｘを経由してプロジェクター１の外部に排出される。なお、吸気ファン７ｉと排気ファン７ｘは、プロジェクター１の内部を冷却するための冷却ファンに相当するものであり、例えば、モーター等の駆動装置が一体化された軸流ファンやシロッコファン等によって構成される。
【００２８】
図５は、プロジェクターの概略構成を示すブロック図である。
図５に示すように、プロジェクター１は、画像形成部１０、制御部２０、記憶部２１、入力操作部２２、画像情報入力部２３、入力選択部２４、画像処理部２５、光源制御部２６、温度センサー２７、冷却制御部２８、ローラー駆動部２９等を備えて構成されており、これらは、筐体２（ダクト５も含む）の内部に収容されている。
【００２９】
画像形成部１０は、光源１１、光変調装置としての３つの液晶ライトバルブ１２Ｒ，１２Ｇ，１２Ｂ、投写光学系としての投写レンズ１３、液晶駆動部１４等を含んでいる。画像形成部１０は、表示部に相当するものであり、光源１１から射出された光を、液晶ライトバルブ１２Ｒ，１２Ｇ，１２Ｂで変調して画像を形成し、この画像を投写レンズ１３から投写して投写面Ｓに表示する。
【００３０】
光源１１は、超高圧水銀ランプやメタルハライドランプ等からなる放電型の光源ランプ１１ａと、光源ランプ１１ａが放射した光を液晶ライトバルブ１２Ｒ，１２Ｇ，１２Ｂ側に反射するリフレクター１１ｂとを含んで構成されている。光源１１から射出された光は、図示しないインテグレーター光学系によって輝度分布が略均一な光に変換され、図示しない色分離光学系によって光の３原色である赤色（Ｒ）、緑色（Ｇ）、青色（Ｂ）の各色光成分に分離された後、それぞれ液晶ライトバルブ１２Ｒ，１２Ｇ，１２Ｂに入射する。
【００３１】
液晶ライトバルブ１２Ｒ，１２Ｇ，１２Ｂは、一対の透明基板間に液晶が封入された液晶パネル等によって構成される。液晶ライトバルブ１２Ｒ，１２Ｇ，１２Ｂには、マトリクス状に配列された複数の画素（図示せず）が形成されており、液晶に対して画素毎に駆動電圧を印加可能になっている。液晶駆動部１４が、入力される画像情報に応じた駆動電圧を各画素に印加すると、各画素は、画像情報に応じた光透過率に設定される。このため、光源１１から射出された光は、この液晶ライトバルブ１２Ｒ，１２Ｇ，１２Ｂを透過することによって変調され、画像情報に応じた画像が色光毎に形成される。形成された各色の画像は、図示しない色合成光学系によって画素毎に合成されてカラー画像となった後、投写レンズ１３から拡大投写される。
【００３２】
制御部２０は、ＣＰＵ（Central Processing Unit）や、各種データ等の一時記憶に用いられるＲＡＭ（Random Access Memory）等を備え、記憶部２１に記憶されている制御プログラムに従って動作することによりプロジェクター１の動作を統括制御する。つまり、制御部２０は、記憶部２１とともにコンピューターとして機能する。
【００３３】
記憶部２１は、マスクＲＯＭ（Read Only Memory）や、フラッシュメモリー、ＦｅＲＡＭ（Ferroelectric RAM：強誘電体メモリー）等の不揮発性のメモリーにより構成されている。記憶部２１には、プロジェクター１の動作を制御するための制御プログラムや、プロジェクター１の動作条件等を規定する各種設定データ等が記憶されている。
【００３４】
入力操作部２２は、ユーザーからの入力操作を受け付けるものであり、ユーザーがプロジェクター１に対して各種指示を行うための複数の操作キーを備えている。入力操作部２２が備える操作キーとしては、電源のオンとオフとを切り替えるための電源キー、有効な入力端子２３ａを切り替えるための入力切替キー等がある。ユーザーが入力操作部２２の各種操作キーを操作（押下）すると、入力操作部２２は、この入力操作を受け付けて、ユーザーの操作内容に応じた操作信号を制御部２０に出力する。なお、入力操作部２２として、遠隔操作が可能なリモコン（図示せず）を用いた構成としてもよい。この場合、リモコンは、ユーザーの操作内容に応じた赤外線の操作信号を発信し、図示しないリモコン信号受信部がこれを受信して制御部２０に伝達する。
【００３５】
画像情報入力部２３は、上述したように複数の入力端子２３ａを備えており、各入力端子２３ａには、ビデオ再生装置やパーソナルコンピューター等、外部の画像出力装置から、図示しないケーブルを介して画像情報が入力される。各入力端子２３ａに入力された画像情報は、入力選択部２４に供給される。
【００３６】
入力選択部２４は、複数の入力端子２３ａのうち、制御部２０の指示に基づく１つの入力端子２３ａを選択し、この入力端子２３ａに入力される画像情報を画像処理部２５に出力する。ユーザーが、入力操作部２２に備わる入力切替キーを操作して所望の入力端子２３ａを指定すると、制御部２０は、この入力端子２３ａに入力される画像情報が画像処理部２５に出力されるよう、入力選択部２４に指示をする。
【００３７】
画像処理部２５は、入力選択部２４から入力される画像情報を、液晶ライトバルブ１２Ｒ，１２Ｇ，１２Ｂの各画素の階調を表す画像情報に変換する。ここで、変換された画像情報は、Ｒ，Ｇ，Ｂの色光別になっており、各液晶ライトバルブ１２Ｒ，１２Ｇ，１２Ｂのすべての画素に対応する複数の画素値によって構成されている。画素値とは、対応する画素の光透過率を定めるものであり、この画素値によって、各画素から射出する光の強弱（階調）が規定される。また、画像処理部２５は、制御部２０の指示に基づき、変換した画像情報に対して、明るさ、コントラスト、シャープネス、色合い等を調整するための画質調整処理等を行い、処理後の画像情報を液晶駆動部１４に出力する。
【００３８】
そして、画像処理部２５から入力される画像情報に従って液晶駆動部１４が液晶ライトバルブ１２Ｒ，１２Ｇ，１２Ｂを駆動すると、液晶ライトバルブ１２Ｒ，１２Ｇ，１２Ｂは、画像情報に応じた画像を形成し、この画像が投写レンズ１３から投写される。
【００３９】
光源制御部２６は、制御部２０の指示に基づいて光源１１の点灯を制御する。具体的には、光源制御部２６は、所定の電力を供給して光源１１を点灯させるとともに、電力の供給を停止して光源１１を消灯させることができる。
【００４０】
温度センサー２７は、サーミスター等で構成され、筐体２の内部の温度を検出し、検出結果を冷却制御部２８に出力する。この温度センサー２７は、光源１１、液晶ライトバルブ１２Ｒ，１２Ｇ，１２Ｂ、電源回路（図示せず）等のように、熱を発する部位や熱によるダメージを受けやすい部位に配置される。また、筐体２の内部の温度を直接検出する代わりに、排気口５ｘから排出される空気の温度を検出すること等により、筐体２の内部の温度を間接的に検出するようにしてもよい。
【００４１】
冷却制御部２８は、制御部２０の指示に基づいて、吸気ファン７ｉ及び排気ファン７ｘの回転の始動、及びその停止を制御するとともに、温度センサー２７の検出結果に基づいて吸気ファン７ｉ及び排気ファン７ｘの回転数（回転速度）を制御する。具体的には、冷却制御部２８は、筐体２の内部温度が高温であるほど、吸気ファン７ｉ及び排気ファン７ｘの回転速度を増大させて温度上昇を抑制し、内部温度が低い場合には、ファンの回転に伴う騒音と電力消費とを抑制すべく吸気ファン７ｉ及び排気ファン７ｘの回転速度を低下させる。
【００４２】
また、冷却制御部２８は、ローラー駆動部２９の動作を制御する。ローラー駆動部２９は、モーター等の駆動装置によって構成され、駆動ローラー６ａの回転、即ち防塵フィルター４の循環を駆動するものであり、冷却制御部２８は、ローラー駆動部２９に指示をして、駆動ローラー６ａの回転（防塵フィルター４の循環）の始動、及びその停止を制御する。
【００４３】
次に、プロジェクター１の動作について説明する。
プロジェクター１に商用電源が供給されると、制御部２０は、この電力供給を受けて、制御プログラムに従った動作を開始する。商用電源が供給された直後には、プロジェクター１は、スタンバイ状態（「電源オフ状態」ともいう。）であり、制御部２０は、入力操作部２２の電源キーに対する操作を監視する。そして、ユーザーにより電源キーが操作されると、プロジェクター１は、電源オン状態に移行する。
【００４４】
プロジェクター１が電源オン状態に移行すると、制御部２０は、冷却制御部２８に指示をして、吸気ファン７ｉ及び排気ファン７ｘを始動させるとともに、温度センサー２７の検出結果に基づいて、吸気ファン７ｉ及び排気ファン７ｘの回転速度を制御させる。そして、制御部２０が、光源制御部２６に指示をして光源１１を点灯させると、入力端子２３ａに入力される画像情報に基づく画像が画像形成部１０から投写される。
【００４５】
ここで、冷却制御部２８は、吸気ファン７ｉ及び排気ファン７ｘを動作（回転）させている間、ローラー駆動部２９に駆動ローラー６ａを回転駆動させることにより、無端状の防塵フィルター４を所定の方向にゆっくりと一定の速度で循環させる。例えば、本実施形態の冷却制御部２８は、右側から見て左回り（反時計回り）に、数ｍｍ／分程度の速さで防塵フィルター４を循環させる。このため、防塵フィルター４のうち、ある時点でダクト５の底面５ｂの吸気口５ｉを覆っていた部位は、時間の経過に伴って、前面５ｆ側を経由してダクト５の上面５ｔに至り、排気口５ｘを覆う。その後、背面５ｒ側を経由してダクト５の底面５ｂに至った後、吸気口５ｉを覆う位置まで戻り、以降もこの動作を繰り返す。このように、防塵フィルター４は、吸気ファン７ｉ及び排気ファン７ｘの回転に連動して動作し、吸気口５ｉ及び排気口５ｘの双方を覆いながら循環する。
【００４６】
無端状の防塵フィルター４のうち、吸気口５ｉを覆っている部位には、外部の空気に含まれている塵埃が付着する。ただし、防塵フィルター４がゆっくりと送られているため、塵埃が付着する位置は分散され、防塵フィルター４が停止している場合のように、限られた領域内に多量の塵埃が蓄積されることはない。また、防塵フィルター４に付着した塵埃は、排気口５ｘを通過する際に、排気ファン７ｘにより排出される空気によって吹き飛ばされ、防塵フィルター４から除去される。
【００４７】
電源オン状態でユーザーにより電源キーが操作されると、制御部２０は、光源制御部２６に指示をして光源１１を消灯させる。さらに、制御部２０は、冷却制御部２８に指示をして吸気ファン７ｉ及び排気ファン７ｘの回転を停止させるとともに、ローラー駆動部２９によるローラー６ａの駆動も停止させ、防塵フィルター４の循環を停止させる。これにより、プロジェクター１は、スタンバイ状態に移行する。
【００４８】
以上説明したように、本実施形態のプロジェクター１によれば、以下の効果を得ることができる。
【００４９】
（１）本実施形態のプロジェクター１によれば、無端状の防塵フィルター４が、吸気口５ｉと排気口５ｘの双方を覆いながら循環可能に配設されているため、吸気口５ｉの位置で防塵フィルター４に塵埃が蓄積した場合でも、防塵フィルター４が循環方向に送られることにより、塵埃が蓄積していない部位を通して空気を吸入することができる。また、防塵フィルター４の循環により、塵埃が蓄積している部位が排気口５ｘの位置まで移動すると、防塵フィルター４に蓄積した塵埃は、排出される空気によって除去される。つまり、本実施形態の構成によれば、防塵フィルター４に蓄積した塵埃を、プロジェクター１を使用しながら容易に除去することが可能となり、メンテナンスの頻度を低減することが可能となる。
【００５０】
（２）本実施形態のプロジェクター１によれば、防塵フィルター４を循環させるローラー駆動部２９を備えているため、ユーザーが自ら防塵フィルター４を循環させる必要がない。また、吸気口５ｉの位置で防塵フィルター４に蓄積した塵埃は、ローラー駆動部２９による防塵フィルター４の循環によって、塵埃が蓄積している部位が排気口５ｘの位置まで移動した際に除去されるため、塵埃の除去が一層容易になる。
【００５１】
なお、本実施形態では、ローラー駆動部２９が循環駆動部に相当する。また、冷却制御部２８は、循環制御部としても機能する。
【００５２】
（変形例）
また、上記実施形態は、以下のように変更してもよい。
【００５３】
上記実施形態では、防塵フィルター４をゆっくりと一定の速度で循環（移動）させるようにしているが、この態様に限定されない。例えば、断続的に循環させる態様、即ち移動と停止とを繰り返しながら循環させる態様にしてもよい。また、図６に示すように、防塵フィルター４への塵埃の蓄積を検出するための検出部（塵埃センサー３０）を備えるとともに、塵埃センサー３０の検出結果に基づいて防塵フィルター４を移動させたり停止させたりするようにしてもよい。例えば、塵埃センサー３０としては、吸気口５ｉから吸入される空気の流量を検出する流量センサー（風量センサー）を用いることが可能であり、吸気ファン７ｉの回転にも拘らず流量が増えない場合等に、塵埃が蓄積したものと判断して防塵フィルター４の循環を開始させればよい。また、空気の流量が低下するにつれて、防塵フィルター４の移動速度（循環速度）を速くする等、塵埃センサー３０の検出結果に基づいて防塵フィルター４の移動速度を変化させるようにしてもよい。
【００５４】
なお、温度センサー２７を塵埃センサー３０として利用することも可能である。この場合には、吸気ファン７ｉ及び排気ファン７ｘの回転にも拘らず筐体２の内部温度が低下しない場合等に、塵埃が蓄積したものと判断して防塵フィルター４の移動を開始させればよい。また、筐体２内の温度の上昇、即ち吸気ファン７ｉや排気ファン７ｘの回転速度の上昇とともに防塵フィルター４の移動速度を速くするようにしてもよい。また、防塵フィルター４を駆動するための駆動装置と、吸気ファン７ｉ又は排気ファン７ｘを駆動するための駆動装置とを兼用させる構成にすることも可能である。
【００５５】
上記実施形態では、ローラー駆動部２９が駆動ローラー６ａを駆動することによって防塵フィルター４を循環させる構成を示したが、防塵フィルター４が循環可能な構成であれば、ローラー駆動部２９は必須の構成ではない。例えば、ユーザーが手動で防塵フィルター４を送って循環させる態様にすることも可能である。
【００５６】
上記実施形態では、吸気口５ｉ（吸気用開口部３ｉ）がプロジェクター１の底面側に位置し、排気口５ｘ（排気用開口部３ｘ）がプロジェクター１の上面側に位置しているが、吸気口５ｉ及び排気口５ｘの位置は、上記に限定されない。
【００５７】
上記実施形態では、防塵フィルター４をカバー部材３で囲むようにしているが、カバー部材３を備えずに、防塵フィルター４を露出させる構成にすることも可能である。
【００５８】
上記実施形態において、駆動ローラー６ａに歯車を設けるとともに、防塵フィルター４の内側（内周面）に、移動（循環）方向に沿って連続する凹凸構造を設ければ、歯車と凹凸構造との噛み合わせにより、防塵フィルター４の駆動が容易になる。
【００５９】
上記実施形態では、プロジェクター１が２つの冷却ファン（吸気ファン７ｉ及び排気ファン７ｘ）を備えているが、吸気口５ｉから空気を吸入して排気口５ｘから排出する構成であれば、冷却ファンの数は２つに限られず、１つでも３つ以上であってもよい。
【００６０】
上記実施形態では、光変調装置として３つの液晶ライトバルブ１２Ｒ，１２Ｇ，１２Ｂを用いた３板式のプロジェクター１について説明したが、これに限定されない。例えば、各画素の中にそれぞれＲ光、Ｇ光、Ｂ光を透過可能なサブ画素を含んだ１つの液晶ライトバルブによって画像を形成する態様とすることも可能である。
【００６１】
上記実施形態では、光変調装置として、透過型の液晶ライトバルブ１２Ｒ，１２Ｇ，１２Ｂを用いているが、反射型の液晶ライトバルブ等、反射型の光変調装置を用いることも可能である。また、入射した光の射出方向を、画素としてのマイクロミラー毎に制御することにより、光源から射出した光を変調する微小ミラーアレイデバイス等を用いることもできる。
【００６２】
上記実施形態では、光源１１は、放電型の光源ランプ１１ａによって構成されているが、ＬＥＤ（Light Emitting Diode：発光ダイオード）光源等の固体光源や、その他の光源に適用することもできる。
【符号の説明】
【００６３】
１…プロジェクター、２…筐体、２ｆ…前面、２ｒ…背面、２ｂ…底面、２ｔ…上面、２ｓ…右側面、３…カバー部材、３ｆ…前面、３ｒ…背面、３ｂ…底面、３ｔ…上面、３ｉ…吸気用開口部、３ｘ…排気用開口部、４…防塵フィルター、５…ダクト、５ｆ…前面、５ｒ…背面、５ｂ…底面、５ｔ…上面、５ｉ…吸気口、５ｘ…排気口、６ａ…ローラー（駆動ローラー）、６ｂ，６ｃ，６ｄ…ローラー（従動ローラー）、７ｉ…吸気ファン、７ｘ…排気ファン、１０…画像形成部、１１…光源、１１ａ…光源ランプ、１１ｂ…リフレクター、１２Ｒ，１２Ｇ，１２Ｂ…液晶ライトバルブ、１３…投写レンズ、１４…液晶駆動部、２０…制御部、２１…記憶部、２２…入力操作部、２３…画像情報入力部、２３ａ…入力端子、２４…入力選択部、２５…画像処理部、２６…光源制御部、２７…温度センサー、２８…冷却制御部、２９…ローラー駆動部、３０…塵埃センサー、Ｓ…投写面。
【図１】
2011197383.tif 000003
【図２】
2011197383.tif 000004
【図３】
2011197383.tif 000005
【図４】
2011197383.tif 000006
【図５】
2011197383.tif 000007
【図６】
2011197383.tif 000008